(57)【要約】【課題】同軸ケーブルコネクタ取外し防止ブッシングの提供。【解決手段】一種の同軸ケーブルコネクタ取外し防止ブッシング、前部ブッシングは締結具を収容し、取り合いコネクタに接続する。前部ブッシングは本体、輪状取り合い部及び取り合い部の外壁面に溝を設ける。後部ブッシングは第１管部材、第２管部材を設け、後部ブッシングはターミナルコネクタを収容し、円形肋板を第１管部材末端部の内壁を取り囲む。後部ブッシングと前部ブッシングを結合することにより、円形肋板を溝に進入し、緊密に締結する。これにより、同軸ケーブルコネクタと取り合いコネクタとの間に盗難防止の締結を形成する。【選択図】図２
0003131716.tif 000002
【実用新案登録請求の範囲】
【請求項１】
該同軸ケーブルコネクタに、ターミナルコネクタと同軸ケーブルを設け、ターミナルコネクタに取り付けて、該同軸ケーブルを各種の電気部材に接続し、電気的並びに機械締結を形成し、ターミナルコネクタは軸カラー
を具え、棒部材を軸方向にて、該軸カラーに設け、該ターミナルコネクタの先端部に回転自在の締結具をネジ山付き取り合いコネクタの電気部材に締結し、該取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止める。輪状取り合い部を本体より後部に突き出しおく、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする一種の同軸ケーブルコネクタ取外し防止ブッシング。
【請求項２】
該取り合い部に、一つ以上の溝部を設け、複数の溝部により、取り合い部を仕切り、複数のアーチ部を形成することを特徴とする請求項１記載の同軸ケーブルコネクタ取外し防止ブッシング。
【請求項３】
該第１管部材の外径と壁の厚みとも、第２管部材より薄く設けることを特徴とする請求項１記載の同軸ケーブルコネクタ取外し防止ブッシング。
【考案の詳細な説明】
【技術分野】
【０００１】
本考案は一種の取外し防止ブッシングに関わるものである。主に同軸ケーブルの締結具と電気部材の取り合いコネクタとの間に盗難防止の締結を形成し、回線破壊の防止を図る。
【背景技術】
【０００２】
同軸ケーブルコネクタはそもそも周知の技術である。Ｆ型同軸ケーブルコネクタは通常、取り合いコネクタと結合し、同軸ケーブルと各種の電気部材を機械的に一体化する。
【０００３】
また、一般の有線テレビ放送システムは、同軸ケーブルにより、信号を視聴者への伝送が行われている。このため、従来の有線テレビ放送システムの主要幹線は、たくさんの分配器を取り付けて、該分配器により、同軸ケーブルを利用者側の壁ソケット（ＴＯＰ）に接続する。壁ソケットの内部にネジ山状の取り合い端子とＦ型同軸ケーブルコネクタと電気導通を構成する。
【０００４】
しかしながら、有線テレビ放送の違法接続行為が多く発生し、利用者の違法接続行為は、システム業者に権益損失を与える一方、回線の短絡を引き起こし、有線テレビ放送システムに厳重な干渉を引き起こす。取り合い端子とＦ型同軸ケーブルコネクタに盗難防止部材が設けられていないため、利用者がＦ型コネクタを取り外すことができる。このような欠点を克服の必要がある。
【０００５】
一種の取外し防止ブッシングにより、同軸ケーブルコネクタと取り合いコネクタを締結し、利用者の違法接続による伝送品質低下、または回線破壊を防止する。
【考案の開示】
【考案が解決しようとする課題】
【０００６】
締結具と取り合いコネクタとの間に盗難防止の締結を形成する、一種の同軸ケーブルコネクタ取外し防止ブッシングを提供することを本考案の主な目的である。
【０００７】
前記の目的を達成するため、本考案の同軸ケーブルコネクタ取外し防止ブッシングは、主に前部ブッシング、と後部ブッシングより構成する。本体に貫通孔を設け、締結具を収容する。貫通孔の内部に内輪部によって引き止められる。締結具を取り合いコネクタに締結するため、内輪部に孔を設け、内輪部により、前部ブッシングの後部移動を引き止める。輪状取り合い部を本体より後部に突き出して、溝部を取り合い部の外壁面に設ける。後部ブッシングに第１管部材、第２管部材および貫通孔を設け、該ターミナルコネクタを収容する。円形肋板を該第１管部材末端部の内壁に取り囲む。後部ブッシングと前部ブッシングを結合することにより、円形肋板を溝部に圧迫して結合する。これにより、締結具と取り合いコネクタと盗難防止の締結を形成する。
【課題を解決するための手段】
【０００８】
請求項１の考案は、該同軸ケーブルコネクタに、ターミナルコネクタと同軸ケーブルを設け、ターミナルコネクタに取り付けて、該同軸ケーブルを各種の電気部材に接続し、電気的並びに機械締結を形成し、ターミナルコネクタは軸カラーを具え、棒部材を軸方向にて、該軸カラーに設け、該ターミナルコネクタの先端部に回転自在の締結具をネジ山付き取り合いコネクタの電気部材に締結し、該取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止める。輪状取り合い部を本体より後部に突き出しおく、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする一種の同軸ケーブルコネクタ取外し防止ブッシングとしている。
請求項２の考案は、該取り合い部に、一つ以上の溝部を設け、複数の溝部により、取り合い部を仕切り、複数のアーチ部を形成することを特徴とする請求項１記載の同軸ケーブルコネクタ取外し防止ブッシングとしている。
請求項３の考案は、該第１管部材の外径と壁の厚みとも、第２管部材より薄く設けることを特徴とする請求項１記載の同軸ケーブルコネクタ取外し防止ブッシングとしている。
【考案の効果】
【０００９】
本考案の同軸ケーブルコネクタ取外し防止ブッシングは、同軸ケーブルコネクタ４０と取り合いコネクタ３１との安全締結を長期間に維持することにより、公知技術の違法接続問題を解消し、利用者の違法接続による伝送品質低下、または回線破壊を防止できる。
【考案を実施するための最良の形態】
【００１０】
図６に示す従来式の同軸ケーブルコネクタ４０は、ターミナルコネクタ４１および同軸ケーブル４２を設けて、ターミナルコネクタ４１と緊密に締結し、同軸ケーブル４２を各種の電気部材３０（ビデオ・オーディオ電気部材）に連結し、電気的並びに機械的に一体化を形成する。ターミナルコネクタ４１に軸カラー４３と棒部材４４を設け、軸方向にて軸カラー４３に取り付ける。ターミナルコネクタ４１の先端部は棒部材４４において、自由回転できるように締結具４５を設ける。締結具４５内部にネジ山を形成し、その外部に六角体部材４８を設け、スパナまたはその他の工具により、締結具４５をねじ付き取り合いコネクタ３１の電気部材３０に締結する。
【００１１】
付帯の図式に示す番号それぞれは各図式の素子に対応する。図１、図２はそれぞれ、本考案の同軸ケーブルコネクタの取外し防止ブッシング立体図、立体図を示す。取外し防止ブッシング１は同軸ケーブルコネクタ４０を収容し、前部ブッシング１０と後部ブッシング２０を有する。
【００１２】
図３に示すとおり、前部ブッシング１０に貫通孔１３を設け、一部の締結具４５を収容する。貫通孔１３は内輪部１４によって引き止められ、内輪部１４に孔１５を設ける。その直径は締結具４５の雌ネジ山よりやや大きく設け、内輪部１４を締結具４５と電気部材３０に備える孔３２の内面平坦部３３の間に取り付ける（図６）。取り合い部１２は本体１１から後部に突き出しておく、溝部１６を取り合い部１２末端部の外壁面に設ける。取り合い部１２はさらに、一つ以上の裂け目１７を設け、図３に示すとおり、４本の裂け目１７を取り合い部１２に設けて、四つの等間隔にて、アーチ部１８を設ける。
【００１３】
図４に示すとおり、後部ブッシング２０に第１管部材２１、第２管部材２２および貫通孔２３を軸方向にて第１、第２管部材２１、２２に延ばす。第１管部材２１の外径と壁の厚みとも第２管部材２２より薄く設ける。円形肋板２４または突き出し部材を第１管部材２１末端部の内壁面を取り囲む。後部ブッシング２０に押さえ力により、前部ブッシング１０に接近させ、円形肋板２４を溝部１６に押し込んで、後部ブッシング２０と前部ブッシング１０と安定な結合を形成する。
【００１４】
図５から図８は、取外し防止ブッシングを同軸ケーブルコネクタ４０への取り付け方法である。手順１、前部ブッシング１０を電気部材３０の孔３２に取り付けて、図５に示すとおり、ネジ山付き取り合いコネクタ３１を内輪部１４の貫通孔１３を貫通する。これにより、前部ブッシング１０と取り合いコネクタ３１と同心状の取り囲む関係を形成し、中央部は輪状中空部３４を設ける（図６）。手順２、後部ブッシング２０を同軸ケーブル４２外部に移動し、締結具４５を取り合いコネクタ３１に締結する（図７）。手順３、押さえ力により、後部ブッシング２０の円形肋板２４を前部ブッシング１０の溝部１６と結合し、締結具４５を取外し防止ブッシング内部に隠す。
【００１５】
図９に示すとおり、前部ブッシング１０と後部ブッシング２０の結合により、円形肋板２４と溝部１６を緊密に締結する。前部ブッシング１０の内輪部１４は締結具４５前部端面の係止めにより、取外し防止ブッシングを同軸ケーブルコネクタ４０から分離することができない。
【００１６】
以上の説明により、本考案の取外し防止ブッシングは、同軸ケーブルコネクタ４０と取り合いコネクタ３１との安全締結を長期間に維持することにより、公知技術の違法接続問題を解消し、利用者の違法接続による伝送品質低下、または回線破壊を防止できる。
【図面の簡単な説明】
【００１７】
【図１】本考案の取外し防止ブッシングの立体図である。
【図２】本考案の取外し防止ブッシングの立体分解図である。
【図３】本考案の前部ブッシングの断面図である。
【図４】本考案の後部ブッシングの断面図である。
【図５】本考案の取外し防止ブッシングを同軸ケーブルコネクタへの取り付け手順図である。
【図６】本考案の取外し防止ブッシングを同軸ケーブルコネクタへの取り付け手順図である。
【図７】本考案の取外し防止ブッシングを同軸ケーブルコネクタへの取り付け手順図である。
【図８】本考案の取外し防止ブッシングを同軸ケーブルコネクタへの取り付け手順図である。
【図９】図８の６-６線による断面図である。
【符号の説明】
【００１８】
１０  前部ブッシング
１１  本体
１２  輪状取り合い部
１３  貫通孔
１４  内輪部
１５  孔
１６  溝部
１７  裂け目
１８  アーチ部
２０  後部ブッシング
２１  第１管部材
２２  第２管部材
２３  貫通孔
２４  円形肋板
３０  電気部材
３１  取り合いコネクタ
３２  孔
３３  内面平坦部
３４  輪状中空部
４０  同軸ケーブルコネクタ
４１  ターミナルコネクタ
４２  同軸ケーブル
４３  軸カラー
４４  棒部材
４５  締結具
【図１】
0003131716.tif 000003
【図２】
0003131716.tif 000004
【図３】
0003131716.tif 000005
【図４】
0003131716.tif 000006
【図５】
0003131716.tif 000007
【図６】
0003131716.tif 000008
【図７】
0003131716.tif 000009
【図８】
0003131716.tif 000010
【図９】
0003131716.tif 000011
【手続補正書】
【提出日】平成18年10月19日(2006.10.19)
【手続補正１】
【補正対象書類名】実用新案登録請求の範囲
【補正対象項目名】全文
【補正方法】変更
【補正の内容】
【実用新案登録請求の範囲】
【請求項１】
該同軸ケーブルコネクタに、ターミナルコネクタと同軸ケーブルを設け、ターミナルコネクタに取り付けて、該同軸ケーブルを各種の電気部材に接続し、電気的並びに機械締結を形成し、ターミナルコネクタは軸カラーを具え、棒部材を軸方向にて、該軸カラーに設け、該ターミナルコネクタの先端部に回転自在の締結具をネジ山付き取り合いコネクタの電気部材に締結し、該取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止め、輪状取り合い部を本体より後部に突き出しておき、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする一種の同軸ケーブルコネクタ取外し防止ブッシング。
【請求項２】
該取り合い部に、一つ以上の溝部を設け、複数の溝部により、取り合い部を仕切り、複数のアーチ部を形成することを特徴とする請求項１記載の同軸ケーブルコネクタ取外し防止ブッシング。
【請求項３】
該第１管部材の外径と壁の厚みとも、第２管部材より薄く設けることを特徴とする請求項１記載の同軸ケーブルコネクタ取外し防止ブッシング。
【手続補正２】
【補正対象書類名】明細書
【補正対象項目名】０００８
【補正方法】変更
【補正の内容】
【０００８】
請求項１の考案は、該同軸ケーブルコネクタに、ターミナルコネクタと同軸ケーブルを設け、ターミナルコネクタに取り付けて、該同軸ケーブルを各種の電気部材に接続し、電気的並びに機械締結を形成し、ターミナルコネクタは軸カラーを具え、棒部材を軸方向にて、該軸カラーに設け、該ターミナルコネクタの先端部に回転自在の締結具をネジ山付き取り合いコネクタの電気部材に締結し、該取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止め、輪状取り合い部を本体より後部に突き出しておき、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする一種の同軸ケーブルコネクタ取外し防止ブッシングとしている。
請求項２の考案は、該取り合い部に、一つ以上の溝部を設け、複数の溝部により、取り合い部を仕切り、複数のアーチ部を形成することを特徴とする請求項１記載の同軸ケーブルコネクタ取外し防止ブッシングとしている。
請求項３の考案は、該第１管部材の外径と壁の厚みとも、第２管部材より薄く設けることを特徴とする請求項１記載の同軸ケーブルコネクタ取外し防止ブッシングとしている。
【手続補正書】
【提出日】平成19年1月10日(2007.1.10)
【手続補正１】
【補正対象書類名】実用新案登録請求の範囲
【補正対象項目名】全文
【補正方法】変更
【補正の内容】
【実用新案登録請求の範囲】
【請求項１】
同軸ケーブルコネクタに、ターミナルコネクタと同軸ケーブルを設け、ターミナルコネクタに取り付けて、該同軸ケーブルを各種の電気部材に接続し、電気的並びに機械締結を形成し、ターミナルコネクタは軸カラーを具え、棒部材を軸方向にて、該軸カラーに設け、該ターミナルコネクタの先端部に回転自在の締結具をネジ山付き取り合いコネクタの電気部材に締結し、取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止め、輪状取り合い部を本体より後部に突き出しておき、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする一種の同軸ケーブルコネクタ取外し防止ブッシング。
【請求項２】
該取り合い部に、一つ以上の溝部を設け、複数の溝部により、取り合い部を仕切り、複数のアーチ部を形成することを特徴とする請求項１記載の同軸ケーブルコネクタ取外し防止ブッシング。
【請求項３】
該第１管部材の外径と壁の厚みとも、第２管部材より薄く設けることを特徴とする請求項１記載の同軸ケーブルコネクタ取外し防止ブッシング。
【手続補正２】
【補正対象書類名】明細書
【補正対象項目名】０００８
【補正方法】変更
【補正の内容】
【０００８】
請求項１の考案は、同軸ケーブルコネクタに、ターミナルコネクタと同軸ケーブルを設け、ターミナルコネクタに取り付けて、該同軸ケーブルを各種の電気部材に接続し、電気的並びに機械締結を形成し、ターミナルコネクタは軸カラーを具え、棒部材を軸方向にて、該軸カラーに設け、該ターミナルコネクタの先端部に回転自在の締結具をネジ山付き取り合いコネクタの電気部材に締結し、取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止め、輪状取り合い部を本体より後部に突き出しておき、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする一種の同軸ケーブルコネクタ取外し防止ブッシングとしている。
請求項２の考案は、該取り合い部に、一つ以上の溝部を設け、複数の溝部により、取り合い部を仕切り、複数のアーチ部を形成することを特徴とする請求項１記載の同軸ケーブルコネクタ取外し防止ブッシングとしている。
請求項３の考案は、該第１管部材の外径と壁の厚みとも、第２管部材より薄く設けることを特徴とする請求項１記載の同軸ケーブルコネクタ取外し防止ブッシングとしている。
【手続補正書】
【提出日】平成19年3月8日(2007.3.8)
【手続補正１】
【補正対象書類名】実用新案登録請求の範囲
【補正対象項目名】全文
【補正方法】変更
【補正の内容】
【実用新案登録請求の範囲】
【請求項１】
同軸ケーブルコネクタに、ターミナルコネクタと同軸ケーブルを設け、該同軸ケーブルはターミナルコネクタに取り付けて、該同軸ケーブルを各種の電気部材に接続し、電気的並びに機械締結を形成し、ターミナルコネクタは軸カラーを具え、棒部材を軸方向にて、該軸カラーに設け、該ターミナルコネクタの先端部に回転自在の締結具をネジ山付き取り合いコネクタの電気部材に締結し、取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止め、輪状取り合い部を本体より後部に突き出しておき、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする同軸ケーブルコネクタ取外し防止ブッシング。
【請求項２】
該取り合い部に、一つ以上の溝部を設け、複数の溝部により、取り合い部を仕切り、複数のアーチ部を形成することを特徴とする請求項１記載の同軸ケーブルコネクタ取外し防止ブッシング。
【請求項３】
該第１管部材の外径と壁の厚みとも、第２管部材より薄く設けることを特徴とする請求項１記載の同軸ケーブルコネクタ取外し防止ブッシング。
【手続補正２】
【補正対象書類名】明細書
【補正対象項目名】０００８
【補正方法】変更
【補正の内容】
【０００８】
請求項１の考案は、同軸ケーブルコネクタに、ターミナルコネクタと同軸ケーブルを設け、該同軸ケーブルはターミナルコネクタに取り付けて、該同軸ケーブルを各種の電気部材に接続し、電気的並びに機械締結を形成し、ターミナルコネクタは軸カラーを具え、棒部材を軸方向にて、該軸カラーに設け、該ターミナルコネクタの先端部に回転自在の締結具をネジ山付き取り合いコネクタの電気部材に締結し、取外し防止ブッシングは以下の構成要素を備え、
前部ブッシング、本体を有し、本体内部に貫通孔を設け、該締結具を収容する、該貫通孔は内輪部によって引き止められ、締結具を取り合いコネクタに締結するため、該内輪部に孔を設け、該内輪部により、前部ブッシングの後部移動を引き止め、輪状取り合い部を本体より後部に突き出しておき、溝部を取り合い部の外壁面に設け、および
後部ブッシングに第１管部材、第２管部材及び該ターミナルコネクタを収容するための貫通孔を設け、円形肋板を該第１管部材末端部の内壁面に取り囲み、後部ブッシングと前部ブッシングを結合することにより、円形肋板を溝部に圧迫して、緊密に締結し、この構造により、同軸ケーブルコネクタと取り合いコネクタとの間に盗難防止の締結を形成することを特徴とする同軸ケーブルコネクタ取外し防止ブッシングとしている。
請求項２の考案は、該取り合い部に、一つ以上の溝部を設け、複数の溝部により、取り合い部を仕切り、複数のアーチ部を形成することを特徴とする請求項１記載の同軸ケーブルコネクタ取外し防止ブッシングとしている。
請求項３の考案は、該第１管部材の外径と壁の厚みとも、第２管部材より薄く設けることを特徴とする請求項１記載の同軸ケーブルコネクタ取外し防止ブッシングとしている。